(57)【要約】【課題】装置の大型化を抑えた異物吸引装置を提供する。【解決手段】上下分割型の金型における下型の上面を吸引清掃する異物吸引装置であって、吸引力を発生させる本体部１１と、本体部１１に接続されているとともに、端部に設けられた吸引ヘッド１２ａが下型２の上面に対向するように配置されるノズル部１２と、を備え、ノズル部１２の吸引ヘッド１２ａには、下型２の上面に形成されている凹凸形状２ａ，２ｂに対応するように、凹凸形状１２ｃ，１２ｄが形成されている。【選択図】図２
2019063843.tif 000002
【特許請求の範囲】
【請求項１】
上下分割型の金型における下型の上面を吸引清掃する異物吸引装置であって、
吸引力を発生させる本体部と、
前記本体部に接続されているとともに、端部に設けられた吸引ヘッドが前記下型の上面に対向するように配置されるノズル部と、を備え、
前記ノズル部の前記吸引ヘッドには、前記下型の上面に形成されている凹凸形状に対応するように、凹凸形状が形成されている、
異物吸引装置。
【発明の詳細な説明】
【技術分野】
【０００１】
本発明は、金型の成形面上の異物を吸引除去する、異物吸引装置に関する。
【背景技術】
【０００２】
従来、このような分野の技術として、特開平０５−１９２７４１号公報がある。この公報に記載された装置は、金型の表面を覆うダクトから空気を吸入することで、金型の成形面上の異物の吸引除去を行う。
【先行技術文献】
【特許文献】
【０００３】
【特許文献１】特開平０５−１９２７４１号公報
【発明の概要】
【発明が解決しようとする課題】
【０００４】
しかしながら、前述した従来の吸引装置では、吸引によって金型上の異物を除去しようとする場合、異物に対して所定以上の流速で空気流を当てる必要がある。ここで、空気流の流速を高める方法としては吸引装置を大型化することが考えられるが、装置を大型化するとコストが増加するという問題がある。
本発明は、装置の大型化を抑えた異物吸引装置を提供するものである。
【課題を解決するための手段】
【０００５】
本発明にかかる異物吸引装置は、上下分割型の金型における下型の上面を吸引清掃する異物吸引装置であって、吸引力を発生させる本体部と、前記本体部に接続されているとともに、端部に設けられた吸引ヘッドが前記下型の上面に対向するように配置されるノズル部と、を備え、前記ノズル部の前記吸引ヘッドは、前記下型の上面に形成されている凹凸形状に対応するように、凹凸形状が形成されている。
これにより、吸引ヘッドが異物を吸引するための空気流の流速を上昇させることができる。
【発明の効果】
【０００６】
これにより、装置の大型化を抑えた異物吸引装置を提供することができる。
【図面の簡単な説明】
【０００７】
【図１】実施の形態１にかかる異物吸引装置の構成を示す図である。
【図２】実施の形態１にかかる吸引ヘッドと下型が対向する箇所を拡大した断面模式図である。
【図３】実施の形態２にかかる異物吸引装置の構成を示す図である。
【図４】実施の形態２にかかる吸引ヘッドと下型が対向する箇所を拡大した断面模式図である。
【発明を実施するための形態】
【０００８】
実施の形態１
以下、図面を参照して本発明の実施の形態について説明する。図１は、金型を構成する下型２の上方に、異物吸引装置１が配置された状態を示す図である。異物吸引装置１は、本体部１１と、本体部１１に接続されたノズル部１２と、を備える。
【０００９】
下型２は、上下分割型の金型において、上型（図示せず）と一対で用いられるものである。図２に示すように、下型２の上面には、下型２を用いて形成される形成物の凹凸に応じた凹凸形状を有する。ここで、下型２の上面に形成されている凹凸について、下方に凹状になっている箇所を凹部２ａ、上方に凸状になっている箇所を凸部２ｂとする。
【００１０】
本体部１１には、ノズル部１２の一端部が連結されている。また本体部１１は、ノズル部１２を用いて異物の吸引を行うための負圧を発生させる動力機構を有する。すなわち本体部１１の動作により、後述する吸引ヘッド１２ａの吸引口１２ｂにおいて、異物を吸引するための吸引力が発生する。
【００１１】
ノズル部１２は、一端部が本体部１１に連結されており、他端部には凹凸を有する吸引ヘッド１２ａを有する。ノズル部１２を用いた吸引を行う場合には、吸引ヘッド１２ａが、下型２の上面に対して所定のクリアランスを有した状態で対向する。
【００１２】
吸引ヘッド１２ａには、吸引口１２ｂが形成されている。吸引口１２ｂは、本体部１１での負圧発生により吸引力を発生することで、下型２の上面の異物を吸引する。なお、吸引口１２ｂから吸引された異物は、ノズル部１２内を介して本体部１１に回収される。
【００１３】
吸引ヘッド１２ａに形成されている凹凸形状は、吸引ヘッド１２ａを下型２と対向させた場合に、下型２の上面の凹凸形状に対応する。例えば吸引ヘッド１２ａは、下方向に凸形状となっている凸部１２ｃは下型２の凹部２ａに対応し、吸引ヘッド１２ａの一部において上方向に凹形状となっている凹部１２ｄは下型２の凸部２ｂに対応するように、凹凸形状が形成されている。
【００１４】
次に、異物吸引装置１を用いた異物吸引の手順について説明する。
【００１５】
最初に、ノズル部１２を下型２の上方に移動させる。このとき、吸引ヘッド１２ａと下型２の間には、所定の距離のクリアランスが存在する状態となるように配置する。
【００１６】
ここで吸引ヘッド１２ａには、あらかじめ凸部１２ｃ及び凹部１２ｄが設けられており、凸部１２ｃと下型２の凹部２ａが対向し、凹部１２ｄと下型２の凸部２ｂが対向するように配置する。すなわち吸引ヘッド１２ａは、吸引ヘッド１２ａと下型２との間のクリアランスが、いずれの箇所であっても略一定となる状態で配置される。
【００１７】
その後、本体部１１において負圧を発生させるための動力機構を稼動させ、吸引ヘッド１２ａに設けられた吸引口１２ｂから異物の吸引を行う。
【００１８】
このとき、吸引ヘッド１２ａの凹凸形状と下型２の凹凸形状が対応していることから流路断面積が縮小しているため、クリアランスを流れる空気の流速が向上した状態となる。すなわち、吸引によって発生する空気の流速の上昇するため、下型２の表面に付着している異物は、吸引口１２ｂに吸引されやすくなる。
【００１９】
これにより、本体部１１に設けられた動力機構の出力を向上させるための大型化をせずに、吸引口１２ｂへの異物の吸引力を高めることができる。したがって、異物吸引装置１のコスト増加を抑制しつつ、下型２に付着している異物を除去する能力を高めた状態で、吸引清掃を実行することができる。
【００２０】
実施の形態２
図３に示すように、異物吸引装置３は、本体部１１と、本体部１１に接続されたノズル部３２と、を備える。異物吸引装置１は、下型４の上方に配置される。なお、本体部１１については実施の形態１に示したものと同様であるため、説明を省略する。
【００２１】
ノズル部３２は、一端部が本体部１１に連結されており、他端部には凹凸を有する吸引ヘッド３２ａを有する。図４に示すように、ノズル部３２を用いた吸引を行う場合には、吸引ヘッド３２ａが、下型２の上面に対して所定のクリアランスを有した状態で対向する。
【００２２】
吸引ヘッド３２ａは凹凸形状を有しており、吸引ヘッド３２ａを下型４と対向させた場合に、下型４の上面の凹凸形状に対応する。すなわち、吸引ヘッド３２ａにおいて下方向に凸形状となっている凸部３２ｃは下型４の凹部４ａに対応し、吸引ヘッド３２ａにおいて上方向に凹形状となっている凹部３２ｄは下型４の凸部４ｂに対応する。なお下型４は、複数の凹部４ａと複数の凸部４ｂを有しており、吸引ヘッド３２ａの複数の凹凸形状はこれらに対応している。
【００２３】
また、吸引ヘッド３２ａには、少なくとも２箇所以上の複数の吸引口３２ｂが形成されている。複数の吸引口３２ｂは、本体部１１での負圧発生により吸引力を発生することで、下型２の上面の異物を吸引する。典型的には、吸引ヘッド３２ａの複数の吸引口３２ｂは、夫々が下型４の複数の凹部４ａに対向するように配置される。なお、吸引口３２ｂから吸引された異物は、本体部１１によって発生させた負圧によって、ノズル部３２内に設けられた流路を通り、回収される。
【００２４】
複数の吸引口３２ｂは、いずれの吸引口３２ｂで吸引を行うかについて、制御可能である。具体的には、複数の吸引ヘッド３２ａで行う吸引は、同時に行うように制御することや、多段式で実行できるように制御することが可能である。すなわち、吸引ヘッド３２ａの動作タイミングは、下型４の上面の形状に応じて適切な方法となるように変更することができる。
【００２５】
なお、複数の吸引口３２ｂの吸引タイミングの制御について、その制御方法は問わない。例えば、吸引を停止したい吸引口３２ｂに負圧がかからないように本体部１１の動作を制御しても良く、吸引口３２ｂと本体部１１の間の流路に弁を設けておき、この弁の開閉を制御しても良い。
【００２６】
また吸引口３２ｂは、下型４の複数の凹部４ａに対応する箇所だけでなく、図２に示すように、凸部４ｂの上方に配置されているものがあっても良い。
【００２７】
これにより、下型４の凹凸形状が複雑であり、特に、吸引に際して空気の流れが滞りやすい凹部４ａにおいて、複数の吸引口３２ｂで吸引を行うことで異物の除去をはかることができる。
【００２８】
なお、本発明は上記実施の形態に限られたものではなく、趣旨を逸脱しない範囲で適宜変更することが可能である。
【符号の説明】
【００２９】
１，３            異物吸引装置
２，４            下型
２ａ            凹部
２ｂ            凸部
４ａ            凹部
４ｂ            凸部
１１            本体部
１２            ノズル部
１２ａ            吸引ヘッド
１２ｂ            吸引口
１２ｃ            凸部
１２ｄ            凹部
３２            ノズル部
３２ａ            吸引ヘッド
３２ｂ            吸引口
３２ｃ            凸部
３２ｄ            凹部
【図１】
2019063843.tif 000003
【図２】
2019063843.tif 000004
【図３】
2019063843.tif 000005
【図４】
2019063843.tif 000006